(57)【要約】【課題】  設置作業が容易で、農作業車の運転に支障がなく、収穫量の増加が望める地下水位調整器を、安価に提供する。【解決手段】  暗渠管９１と連結する第１接続筒３１と、横筒２１の他端内に開口する第２接続筒３２と、縦筒２２の内部を上昇する第３接続筒３３とを有し、第３接続筒３３の開放した上端が縦筒２２の途中で終わる逆Ｔ字形の接続筒３と、第３接続筒３３の上端に取り付けられた上下方向に可動するベローズ４１よりなる水位調節管４と、縦筒２２の上端から内部の水位調節管４を上下方向に動かし、水位調節管４の上端の位置を田圃Ｐの水位設定レベルに調節する操作装置５とを備え、接続筒３を止水可能なように、第２接続筒３２に形成した装着部内に嵌着可能な止水栓６３を、縦筒２２内に収納した操作杆６４により操作する水閘装置６を設けた。【選択図】    図１
2006304738.tif 000002
【特許請求の範囲】
【請求項１】
田圃の地下に敷設され、田圃に灌漑用水を供給すると共に排水路に排水する暗渠管に付設する田圃での地下水位調整器において、
上端が田圃の地表上に位置する縦筒を横筒の途中に備え、地中に埋設される逆Ｔ字形の継手筒と、
前記継手筒内に収設され、一方に前記横筒の一端側に設けた隔壁を貫通して前記暗渠菅と連結する第１接続筒を有し、他方に前記横筒の他端内に開口する第２接続筒を有し、第１接続筒と第２接続筒との途中には、前記縦筒の内部を上昇する第３接続筒を有し、この第３接続筒の開放した上端が縦筒の途中で終わる逆Ｔ字形の接続筒と、
前記第３接続筒の上端に取り付けられた上下方向に可動な水位調節管と、
前記縦筒の上端から内部の水位調節管を上下方向に動かし、水位調節管の上端の位置を田圃の水位設定レベルに調節する操作装置と、
を備え、
前記接続筒の第２接続筒側に、当該接続筒を止水可能な水閘装置を設け、
前記継手筒の横筒の他端を排水路に接続したことを特徴とする地下水位調整器。
【請求項２】
前記水閘装置は、第２接続筒に形成した装着部内に嵌着可能な止水栓を、前記縦筒内に収納した操作杆により操作する請求項１に記載の地下水位調整器。
【請求項３】
前記第３接続筒の上端に取り付けられた水位調節管は、上下方向に伸縮可能なベローズである請求項１または２に記載の地下水位調整器。
【請求項４】
前記第３接続筒の上端に取り付けられた水位調節管は、第３接続筒に上下動可能に嵌合したスライド管である請求項１または２に記載の地下水位調整器。
【発明の詳細な説明】
【技術分野】
【０００１】
本発明は、稲作をしている水田や、水田を休耕田にし、各種の野菜や花卉などを栽培するための田圃における地下水位調整器に関する。
【背景技術】
【０００２】
例えば稲作をする水田の地中には、田圃に供給された灌漑用水が地下に浸透した地下水を、畦に沿ったＵ字溝などの排水路に排水する暗渠管が敷設してあり、この暗渠管の下流端部には水閘を設け、この水閘を開閉して水位を調整している。そして、この水閘は、操作杆の下端に取り付けた密栓を、注水口と排水口との間に着脱自体としたものが、例えば特許文献１により提案されている。
【０００３】
また、水位を一定に保つように、余剰な水を排水するようにした水位調節装置が、例えば特許文献２によって提案されている。この水位調節装置は、地中に上下動可能に設けた水位調節管により、余剰の水を排水管に導いて水位を調節するものである。
【０００４】
そして、例えば、稲の幼苗の植え付け時、或いはその生育時には水閘で暗渠管を閉じ、田圃に供給される灌漑用水の水位を田面（田圃の地表面）上、約１０ｃｍくらいに保って、稲の苗を成長させ、成長したら水閘を開き、田面上の灌漑用水、その地下水を一緒に暗渠管から排水路に放出し、水田を干上げて生育した稲を刈り取る。
【０００５】
休耕田にした水田で野菜や花卉（総称して植物とも記す。）を栽培して収穫を向上するには、田圃の地中の水位を栽培すべき植物の根に適応させる必要がある。つまり、根を地中に深く降ろす根菜類などには地中の水位を深くし、葉菜類など根が浅いものには地中の水位を浅くすると共に、それまで栽培して収穫した植物とは別の植物を栽培するには、地中の水位を新しい植物が地中に降ろす根の深さに適応したレベルに変更する必要がある。又、稲を生育する際でも、水位を田面上、２０ｃｍ程度に上げ、幼苗を水没させて霜から保護する深水や、田圃の地下の水位を根よりも深く下げて根の発育を促進し、収穫量の向上を図る中干しなど、水位を変動させる必要がある。
【０００６】
【特許文献１】実公昭６０−１１９４２号公報
【特許文献２】特開２００３−１１１５２６号公報
【発明の開示】
【発明が解決しようとする課題】
【０００７】
しかしながら、従来の水位調節装置を設置した田圃において、水を張る場合には、暗渠管に設けた水閘を閉じなければならないし、乾燥させるには水閘を開いて排水しなければならない。そして、この水閘は、設置した水位調節装置に対応た数が必要である。
一方、田圃の中に、多くの水位調節装置と水閘とが、散在して突出していると、田起こしや刈り入れ時に導入するトラクタ等の農作業車の運転の邪魔になっている。
また、水位調節装置と水閘とを、それぞれ別個に設置する必要があるため、設置工事が煩雑であり、費用も倍増しているのが現状である。
そして、既に暗渠管が敷設されている田圃に、新たに水位調節装置を設置する場合も同様に煩雑であり、コストが高いものであった。
【０００８】
本発明が解決しようとする課題は、設置作業が容易で、農作業車の運転に支障がなく、収穫量の増加が望める地下水位調整器を、安価に提供することを目的とする。
【課題を解決するための手段】
【０００９】
本発明は上記に鑑み提案されたもので、請求項１に係る発明は、田圃の地下に敷設され、田圃に灌漑用水を供給すると共に排水路に排水する暗渠管に付設する田圃での地下水位調整器において、上端が田圃の地表上に位置する縦筒を横筒の途中に備え、地中に埋設される逆Ｔ字形の継手筒と、前記継手筒内に収設され、一方に前記横筒の一端側に設けた隔壁を貫通して前記暗渠菅と連結する第１接続筒を有し、他方に前記横筒の他端内に開口する第２接続筒を有し、第１接続筒と第２接続筒との途中には、前記縦筒の内部を上昇する第３接続筒を有し、この第３接続筒の開放した上端が縦筒の途中で終わる逆Ｔ字形の接続筒と、前記第３接続筒の上端に取り付けられた上下方向に可動な水位調節管と、前記縦筒の上端から内部の水位調節管を上下方向に動かし、水位調節管の上端の位置を田圃の水位設定レベルに調節する操作装置と、を備え、前記接続筒の第２接続筒側に、当該接続筒を止水可能な水閘装置を設け、前記継手筒の横筒の他端を排水路に接続したことを特徴とする。
請求項２に係る発明は、請求項１の構成に加えて、前記水閘装置は、第２接続筒に形成した装着部内に嵌着可能な止水栓を、前記縦筒内に収納した操作杆により操作する地下水位調整器である。
請求項３に係る発明は、請求項１または２の構成に加えて、前記第３接続筒の上端に取り付けられた水位調節管は、上下方向に伸縮可能なベローズである地下水位調整器である。
請求項４に係る発明は、請求項１または２の構成に加えて、前記第３接続筒の上端に取り付けられた水位調節管は、第３接続筒に上下動可能に嵌合したスライド管である地下水位調整器である。
【発明の効果】
【００１０】
本発明は、水閘を別個に必要としないので、設置作業が容易であると共に、コストの削減が可能である。また、田圃上に突出する個所が半減し、農作業車の運転の障害物となることが少ない。水位の調整及び注排水に伴う水閘の操作が容易である。また、栽培する植物に適切な水位に調整することにより、収穫量の増加が望めると共に、根腐れ等の病害虫に強い生育が望める。更に、既設の暗渠管に適用することも可能で、安い費用で付設することができ、実用的価値が極めて高い。
【発明を実施するための最良の形態】
【００１１】
本発明は、上端が田圃の地表上に位置する縦筒を横筒の途中に備え、地中に埋設される逆Ｔ字形の継手筒と、この継手筒内に収設され、一方に横筒の一端側に設けた隔壁を貫通して暗渠菅と連結する第１接続筒を有し、他方に横筒の他端内に開口する第２接続筒を有し、第１接続筒と第２接続筒との途中には、縦筒の内部を上昇する第３接続筒を有し、この第３接続筒の開放した上端が縦筒の途中で終わる逆Ｔ字形の接続筒と、前記第３接続筒の上端に取り付けられた上下方向に可動するベローズよりなる水位調節管と、前記縦筒の上端から内部の水位調節管を上下方向に動かし、水位調節管の上端の位置を田圃の水位設定レベルに調節する操作装置とを備え、前記接続筒を止水可能なように、第２接続筒に形成した装着部内を上下方向に摺動して嵌着可能な止水栓を、縦筒内に収納した操作杆により操作する水閘装置を設け、前記継手筒の横筒の他端を排水路に接続して、安価に提供可能な地下水位調整器を実現した。
【実施例】
【００１２】
図１は、本発明に係る地下水位調整器１を設置した田圃Ｐを模式的に示す、一部を欠截した斜視図である。図２は、本発明に係る地下水位調整器１による給水状態を示す断面図、図３は同上の排水状態を示す断面図である。
【００１３】
本発明に係る地下水位調整器１は、概略、地中に埋設される逆Ｔ字形の継手筒２と、該継手筒２内に収設される接続筒３と、該接続筒３の取り付けられる水位調節管４と、該水位調節管４の上端の位置を田圃Ｐの水位設定レベルＷに調節する操作装置５と、上記接続筒３を止水可能な水閘装置６と、を備えてなる。
【００１４】
逆Ｔ字形に形成された継手筒２は、両端が閉塞した横筒２１と、この横筒２１の途中から垂直に上に延び、上端が田圃Ｐの地表面や、畦Ｐ１上に露出する縦筒２２とを有し、例えば鋼管や、塩化ビニール管をＴ形に接合して構成されている。尚、横筒２１の両端は、隔壁２３ａを有する蓋体２３により閉塞してあり、この隔壁２３ａには、後述するように暗渠管９１を接続する。
【００１５】
前記継手筒２の内部には、左右の第１接続筒３１及び第２接続筒３２と、両接続筒３１、３２の中間から立ち上がる第３接続筒３３とからなる逆Ｔ字形の接続筒３を収設する。図面において右側、即ち上流側の第１接続筒３１を、前記横筒２１の上流側の一端部を閉塞している前記蓋体２３の隔壁２３ａを貫通させて、前記暗渠管９１と接続する。
【００１６】
一方、図面において左側、即ち下流側の第２接続筒３２には、この接続筒３を止水可能な水閘装置６を設ける。この水閘装置６は、例えば、図６に示すように、第２接続筒３２に取り付けることにより装着部６１を形成する止水栓受入部材６２と、操作杆６４を備える止水栓６３とから構成されている。
【００１７】
即ち、止水栓受入部材６２は、下半部分が第２接続筒３２に対応して半円形に形成されると共に、上半部分が上端部が拡開したほゞ矩形に形成されている。この止水栓受入部材６２は、所定の間隔で対向する一対の側面部６２１、６２１と、両側面部６２１、６２１の間を繋ぐ周面部６２２と、これらの上端部分に形成された受入部６２３とを備え、例えば、塩化ビニル等の合成樹脂により成形されている。
【００１８】
止水栓受入部材６２の両側面部６２１、６２１には、第２接続筒３２の内径よりもやゝに小径に開口する通孔部６２４、６２４が設けられ、第２接続筒３２を連通させている。また、両側面部６２１、６２１及び周面部６２２の上端部分には、上方へ向けて拡がる受入部６２３が延設してある。
【００１９】
前記したような構成の止水栓受入部材６２を、第２接続筒３２の上半部分にスリット状に開設した取付口３２１に装着して装着部６１を形成する。尚、止水栓受入部材６２と第２接続筒３２との間を、接着剤等により水密処理を行う。また、止水栓受入部材６２の周面部６２２に係止段部（図示せず）を設け、第２接続筒３２の取付口３２１の縁に係止させるようにしてもよい。更に、第２接続筒３２に装着部６１を一体に形成するようにしてもよい。
【００２０】
止水栓受入部材６２に嵌着させて第２接続筒３２の水流を停止させる止水栓６３は、例えば合成ゴムや、シリコンゴム等の弾性部材からなる止水栓本体部６５と、この止水栓本体部６５に取り付けた操作杆６４とからなる。止水栓本体部６５は、前記止水栓受入部材６２に対応する形状及び厚味を有しており、止水栓受入部材６２に嵌着させたときに、当該止水栓受入部材６２の内面に密着する。そして、図面に示す実施例においては、止水栓本体部６５の側面部分に、止水栓受入部材６２の側面部６２１に開設した円形の通孔部６２４に対応するリブ６５１が僅かに隆起するように突設してある。また、止水栓本体部６５の端面部分にも僅かに隆起する２条のリブ６５２が突設してある。
【００２１】
前記止水栓受入部材６２に開設する通孔部６２４は、円形に限るものではなく、例えばＵ字状に形成してもよい。即ち、下半部分を円形に形成し、途中に平行部分を介して上方部分を再び円弧状に形成することもできる。そして、このときには、止水栓本体部６５に、前記通孔部６２４の形状に対応する形状のリブ６５１を設けるとよい。
【００２２】
また、図６に示す実施例では、下流側の側面部に開設した通孔部６２４のフランジ部分の下端に切欠部６２５を設け、暗渠管９１から混入した土砂粒を前記切欠部６２５を通して排出するようになっている。
【００２３】
止水栓本体部６５に設ける操作杆６４は、縦筒２２内に収納可能な適宜な長さを有し、例えばステンレス鋼等の金属からなるパイプ材６４１を取付板部６４２を介して、止水栓本体部６５の上面部にねじ止めしてある。尚、操作杆６４の上端部には、例えばＴ字形の取手部６４３を設けておくとよい。
【００２４】
そして、前記した接続筒３の第２接続筒３２の先端は、継手筒２の横筒２１の内部に開口する。従って、前記した水閘装置６が開放された状態では、暗渠管９１から導入された用水は、第１接続筒３１から第２接続筒３２を通り、継手筒２の横筒２１内に排出され、この横筒２１に連結された排水管９２から排水路９３に排水される。
【００２５】
一方、前記した水閘装置６により接続筒３を止水した状態では、即ち、止水栓本体部６５を止水栓受入部材６２に嵌着させて第２接続筒３２を封止した状態では、暗渠管９１から導入された用水は、第２接続筒３２から排出できないので、第３接続筒３３を上昇し、この第３接続筒３３の上端に接続された水位調節管４を更に上昇し、当該水位調節管４の上端から縦筒２２内に溢れる。そして、縦筒２２は横筒２１に連通しているので、縦筒２２を落下した用水は横筒２１から排水管９２に流入し、排水路９３に排水される。
【００２６】
従って、田圃Ｐの水位が水位調節管４の上端を超えると、この水位を超えた水が排水されるようになるので、田圃Ｐの水位を一定に保つことができる。
【００２７】
一方、田圃Ｐを乾燥させるために水を抜くには、前記した水閘装置６を開放すればよい。即ち、止水栓６３を抜いてしまえば、暗渠管９１から排水管９２へ直接排水されるので、暗渠管９１のレベルまで排水することができる。従って、田圃Ｐの水を全て抜いて乾燥させることが可能である。
【００２８】
このように水閘装置６が閉じられた状態では、供給された用水が第１接続筒３１から第３接続筒３３を通って水位調節管４の中を上向流したのち、水位調節管４の上端から溢れ、縦筒２２と水位調節管４の外側との空間を落下して横筒２１内に入り、排水管９２を経て排水路９３に排水されるので、田圃Ｐでの水位は水位調節管４の上端と同レベルになる。従って、水位調節管４の高さを、後述する操作装置５で変えることにより田圃Ｐの水位を所望のレベルＷに変化させることができる。
【００２９】
縦筒２２内において、接続筒３の第３接続筒３３の上端に取り付けられ、操作装置５によって上端の位置を調節し、調節された上端の位置により田圃Ｐの水位レベルＷを決定する上下方向に可動な水位調節管４は、図１乃至図３に示すように、蛇腹式に上下方向に伸縮可能なベローズ４１であってもよいし、図４に示すように上下動可能に嵌合した複数のスライド管４２であってもよい。
【００３０】
操作装置５は、水位調節管４の上端に放射状、例えば直径方向に固定した連結板５１の中心孔に上下方向に摺動可能に貫通し、上端部を、縦筒２２の上端に着脱可能に取り付けられて縦筒２２の上端を塞ぐ蓋の中心部に接着、ねじ込みなどで固定された下向きの操作ロッド５２と、連結板５１の中心孔の上に中空部を連通させて固定した雄ねじ筒５３と、上記雄ねじ筒５３に上から被さってねじ係合した袋ナット５４と、上記雄ねじ筒５３と袋ナット５４との間に配置されたＯリング５５とからなる。
【００３１】
連結板５１の中心孔を上下方向に摺動可能に貫通した操作ロッド５２は雄ねじ筒５３の中空部、Ｏリング５５、袋ナット５４の内部を通り、その際、袋ナット５４を雄ねじ筒５３の外周の雄ねじに対して強くねじ込むとＯリング５５は袋ナット５４で回りから圧迫され、操作ロッド５２を回りから締め付けて操作ロッド５２を連結板５１に対して上下動不能に固定する。この操作は、縦筒２２の上端から蓋２４を外し、上端をこの蓋２４に固定された操作ロッド５２を引き上げて水位調節管４を上に引き伸ばし、水位調節管４の上端に取り付けた連結板５１を縦筒２２の上端から外に出して行う。操作ロッド５２には上下方向に、水位調節管４の上端の位置に対応した水位を示す目盛り５６を記しておくことが好ましい。
【００３２】
水位調節管４の上端の位置を所定の水位レベルＷに調節するには、蓋２４を外し、蓋２４と一体に操作ロッド５２を引き上げて連結板５１ごと水位調節管４の上部を上に引き伸ばして縦筒２２の上端から外に取出し、袋ナット５４を弛めてＯリング５５による操作ロッド５２の回りからの締付けを止め、操作ロッド５２を雄ねじ筒５３の中空部沿いに上下動して水位調節管４を上に伸ばしたり、下に縮ませることにより水位調節管４の上端の位置を変え、水位調節管４上端の位置が所望のレベルＷになったら、再び袋ナット５４を雄ねじ筒５３に強くねじ込み、Ｏリング５５で操作ロッド５２を回りから締付けて水位調節管４と操作ロッド５２を固定し、水位調節管４の上端の位置を所望の水位レベルＷにする。それから縦筒２２の外に引き出した操作ロッド５２と、水位調節管４を縦筒２２の内部に収め、操作ロッド５２の上端部を固定した蓋２４を縦筒２２の上端部に被せる。この蓋２４には操作ロッド５２の上端部を差し込み、接着などで固定する保持筒２５を下向きに設けておくことが好ましい。
【００３３】
操作ロッド５２に水位レベルＷを示す目盛り５６を付しておけば、目盛り５６のどれを袋ナット５４の上端に位置させるかによって水位調節管４の上端を所望の水位レベルＷの位置にすることができるようにすると、調節作業を迅速、且つ容易に行うことができる。水位調節管４を上下に伸縮して水位レベルＷを上下に変化させることができる範囲は田面の地上３０ｃｍ程から、地下７０ｃｍ程の上下方向に１ｍ程度でよく、水位調節管４の上端を最上昇位置にしたときは、水位レベルは田圃Ｐの田面から上になり、休耕田を水田として再び稲作に使用できるようにしておくことが好ましい。
【００３４】
この操作装置５では、上端部を蓋２４に固定され、連結板５１の中心孔、その上に固定された雄ねじ筒５３の中空部を上下方向に移動自在に貫通して下がる操作ロッド５２の途中に、袋ナット５４でＯリング５５を回りから圧縮して操作ロッド５２を締め付けることにより、水位調節管４の上端の位置を変化させて固定するため、操作ロッド５２が畦Ｐ１の上に突出することがない。従って、操作ロッド５２につまづいて転んだり、耕運機などの農作業車の進行を妨げることがない。
【００３５】
図１乃至図３に示した実施例では、水位調節管４にベローズ４１を使用した場合を示したが、図４に示すように、第３接続筒３３の上端に複数段の伸縮スライド管４２を水位調節管４として使用した場合にも、前記した図１乃至図３に使用した操作装置５を利用することができる。
【００３６】
次に、本発明に係る地下水位調整器１の使用法を簡単に説明する。
先ず、水位を所望のレベルに設定するため、水位調節管４の上端を所望の水位レベルＷに合せる。即ち、操作装置５の袋ナット５４を弛めて、操作ロッド５２を上下動させて所望の水位の目盛り５６に合せ、再び袋ナット５４を回して所望の水位レベルＷで固定する。
【００３７】
また、縦筒２２内に備えている操作杆６４を一旦上動させ、下端の止水栓６３を第２接続筒３２に形成した装着部６１である止水栓受入部材６２に押し込んで嵌着させる。このとき、止水栓受入部材６２の上端には拡開する受入部６２３が設けてあるので、この受入部６２３によって止水栓６３が案内されるので、地中に存在して視認が難しい状態にあっても、簡単に嵌着させることができる。
【００３８】
上記のようにして水閘装置６を閉じたら、暗渠管９１の上流側に接続した水槽から用水を供給し、暗渠管９１内に潅漑用水を満たし、地下水位調整器１内において自然にオーバーフローさせる。これにより、任意の水位に調節可能となる。
【００３９】
一方、水抜きをする場合には、水閘装置６の操作杆６４を引き上げて止水栓６３を装着部６１から外せばよい。そして、引き上げた操作杆６４は縦筒２２内に収納して置くことができるので、散逸することもないし、邪魔になることもない。
【００４０】
前記したようにして、稲作をしている水田は勿論、休耕田にした田圃Ｐの水位レベルＷを、そこに栽培すべき植物の根の深さに応じて任意に調節することができる。従って、過湿による根ぐされで植物を枯らしたり、水不足で植物を枯死させることなく、常に適度の水分を与えて順調に生育させ、収穫量を増すことができる。そして、水位レベルＷの上下の調節は、操作ロッド５２が貫通した雄ねじ筒５３に上からねじ込み、内部のＯリング５５を回りから圧迫して操作ロッド５２を上下方向に不動に把持させていた袋ナット５４を弛め、操作ロッド５２を上或いは下に移動させて水位調節管４の上端の位置を所定の水位レベルＷの位置にしたのち、再び袋ナット５４をねじ込むことで容易に変化させることができる。
【００４１】
以上本発明を図面の実施例について説明したが、本発明は上記した実施例に限定されるものではなく、特許請求の範囲に記載した構成を変更しない限り適宜に実施できる。例えば、水閘装置は、上下動する止水栓ばかりではなく、水流と平行な位置と水流に直交する位置とに回動可能な止水板により、水流を閉止する構成のものであってもよい。
【図面の簡単な説明】
【００４２】
【図１】本発明に係る地下水位調整器を設置した田圃を模式的に示す、一部を欠截した斜視図である。
【図２】本発明に係る地下水位調整器による給水状態を示す断面図である。
【図３】本発明に係る地下水位調整器による排水状態を示す断面図である。
【図４】本発明に係る地下水位調整器における水位調節管の他の実施例を示す断面図である。
【図５】本発明に係る地下水位調整器における水閘装置の拡大断面図である。
【図６】本発明に係る地下水位調整器における水閘装置の分解斜視図である。
【符号の説明】
【００４３】
１ 地下水位調整器
２ 継手筒
３ 接続筒
４ 水位調節管
５ 操作装置
６ 水閘装置
２１ 横筒
２２ 縦筒
３１ 第１接続筒
３２ 第２接続筒
３３ 第３接続筒
４１ ベローズ
４２ スライド管
６１ 装着部
６２ 止水栓受入部材
６３ 止水栓
６４ 操作杆
６５ 止水栓本体部
９１ 暗渠管
９２ 排水管
９３ 排水路
【図１】
2006304738.tif 000003
【図２】
2006304738.tif 000004
【図３】
2006304738.tif 000005
【図４】
2006304738.tif 000006
【図５】
2006304738.tif 000007
【図６】
2006304738.tif 000008